(57)【要約】      （修正有）【課題】スポーツ観戦やコンサート鑑賞などの場面において，応援の意思表示のみならず，ストレス解消をも行なうことが可能な応援用衣服を提供する。【解決手段】応援用衣服１６は，ストレス解消のためのストレス解消用細工と，衣服の表面ないしストレス解消用細工を用いることによって現れる部位に表記された応援の意思表示のための絵柄１７ａ，１７ｂと，を備えている。応援用衣服１６は，前身頃が２つの層からなっている。前身頃の第１層目には，応援の意思表示のための絵柄１７ｂが表記されている。また，応援用衣服１６の前身頃には，絵柄１７ｂを覆う第２層目の生地１８が面ファスナ１９を用いて貼り付けられている。すなわち，ストレス解消用細工は，剥がしてストレスを解消する剥がし目（面ファスナ１９）からなっている。第２層目の生地１８には，絵柄１７ａが表記されている。【選択図】図２４
2016011465.tif 000002
【特許請求の範囲】
【請求項１】
ストレス解消のためのストレス解消用細工が施されていることを特徴とする応援用衣服
【請求項２】
さらに，衣服の表面ないし前記ストレス解消用細工を用いることによって現れる部位に表記された絵柄とを備えることを特徴とする請求項１に記載の応援用衣服
【請求項３】
前記衣服の一部ないし全部が複数の層からなっており，前記複数の層に合わせて前記ストレス解消用細工が設けられている，請求項１ないし２に記載の応援用衣服
【請求項４】
前記ストレス解消用細工を用いてストレス解消行動を行なうに伴い前記絵柄が変化し，これにより，応援の意思表示が変化していくことを特徴とする請求項１ないし３に記載の応援用衣服
【請求項５】
前記ストレス解消用細工が，引っ張り破ってストレスを解消する破れ目，剥がしてストレスを解消する剥がし目，叩いて破裂する破裂袋，裂いてストレスを解消する裂傷物のいずれか又は複数であることを特徴とする請求項１から４に記載の応援用衣服
【請求項６】
前記ストレス解消用細工が，水を吸収することにより植物の芽が出る植物種であることを特徴とする請求項１ないし４に記載の応援用衣服
【請求項７】
前記破れ目を破った後，もしくは，前記剥がし目を剥がした後の前記応援用衣服の一部が，応援用タオル，応援用旗又は応援用垂れ幕として使用されることを特徴とする請求項５に記載の応援用衣服
【請求項８】
前記応援用衣服の形状が，Ｔシャツ状，パーカー状又はジャンパー状であることを特徴とする請求項１ないし７に記載の応援用衣服
【請求項９】
前記応援用衣服の素材が，衣料用繊維，ポリエチレン，ポリ塩化ビニル，紙のいずれか又はこれら複数の組み合わせであることを特徴とする請求項１ないし８に記載の応援用衣服
【発明の詳細な説明】
【技術分野】
【０００１】
本発明は，スポーツ観戦やコンサート鑑賞などの場面において用いられる応援用衣服に関する。
【背景技術】
【０００２】
スポーツ観戦やコンサート鑑賞などの場面において，選手や歌手などに対して多種多様な応援が行われる。この場合，選手や歌手などへの鼓舞や愛情表現を行なう，プラスの感情を伴った応援が主である。しかし，その一方で，愛情はあるものの，叱咤激励の意味を込めるような，どちらかといえばマイナスの感情を伴った応援もある。このようなマイナスの感情を伴った応援としては，野球などの野次やブーイング，相撲での座布団投げなどが挙げられる。
【０００３】
いずれの場合においても，応援用グッズなどを用いて感情を表現することが多い。そのため，様々な応援用グッズが開発されている。応援用グッズの中には，衣服を使ったもの（応援用衣服）もあり，その典型として，球団やチームのハッピ，選手のユニフォームなどが挙げられる。また，これらの典型的な応援用衣服のほか，特許文献１に開示されているような技術も提案されている。
【先行技術文献】
【特許文献】
【０００４】
【特許文献１】実用新案登録第３０９０１７４号公報
【発明の概要】
【発明が解決しようとする課題】
【０００５】
特許文献１には，衣服（ポンチョ）着用者の応援意思が記載され，さらに脱衣時には，これを応援旗として用いることができる応援旗兼用ポンチョが開示されている。
【０００６】
しかるに，特許文献１に開示された応援旗兼用ポンチョは，応援意思を表示することはできるものの，これは記載されている意思を一貫して表示するのみであり，試合途中ないしコンサート途中での考えの変化を表示できるものではない。加えて，脱いで応援旗として用いることはできるものの，その大きさから周りの観客に迷惑をかけるほどの大きさとならざるを得ない。
【０００７】
このように，特許文献１に開示された応援旗兼用ポンチョや典型的な応援用衣服は，応援としての意思表示を一貫して行なうことができるものの，意思表示の変更がきかないため，プラスの感情を伴った応援用グッズとなりがちであり，マイナスの感情を表現しにくく，この点において課題を抱えるものである。
【０００８】
また，応援においてマイナスの感情を表現する場合，ブーイングや座布団投げのような行動を伴うことにより，ストレスを解消する一面があることも事実である。もし，応援用グッズを用いてストレス解消を行なうことができれば，応援用グッズの利便性も飛躍的に向上する。
【０００９】
上記事情を背景として，本発明では，スポーツ観戦やコンサート鑑賞などの場面においてストレス解消を行なうことが可能であり，応援の意思表示を変化しうる応援用衣服の開発を課題とする。
【課題を解決するための手段】
【００１０】
本発明者は，鋭意研究の結果，破る，剥がす，時には耐える等のストレス発散に関連する行動を行なうことが可能で，かつ，この行動にともなう絵柄の変化や植物の成長等によりストレスを解消するとともに，応援の意思表示を変化させうることが可能な応援用衣服を着想し，本発明を完成させるに至った。
【００１１】
本発明に係る応援用衣服は，以下の構成からなる。
本発明の第一の構成は，ストレス解消のためのストレス解消用細工が施されていることを特徴とする応援用衣服である。
本発明の第二の構成は，さらに，衣服の表面ないし前記ストレス解消用細工を用いることによって現れる部位に表記された絵柄とを備えることを特徴とする請求項１に記載の応援用衣服である。
【００１２】
本発明の第三の構成は，前記衣服の一部ないし全部が複数の層からなっており，前記複数の層に合わせて前記ストレス解消用細工が設けられている，請求項１ないし２に記載の応援用衣服である。
本発明の第四の構成は，前記ストレス解消用細工を用いてストレス解消行動を行なうに伴い前記絵柄が変化し，これにより，応援の意思表示が変化していくことを特徴とする請求項１ないし３に記載の応援用衣服である。
【００１３】
本発明の第五の構成は，前記ストレス解消用細工が，引っ張り破ってストレスを解消する破れ目，剥がしてストレスを解消する剥がし目，叩いて破裂する破裂袋，裂いてストレスを解消する裂傷物のいずれか又は複数であることを特徴とする請求項１から４に記載の応援用衣服である。
本発明の第六の構成は，前記ストレス解消用細工が，水を吸収することにより植物の芽が出る植物種であることを特徴とする請求項１ないし４に記載の応援用衣服である。
【００１４】
本発明の第七の構成は，前記破れ目を破った後，もしくは，前記剥がし目を剥がした後の前記応援用衣服の一部が，応援用タオル，応援用旗又は応援用垂れ幕として使用されることを特徴とする請求項５に記載の応援用衣服である。
本発明の第八の構成は，前記応援用衣服の形状が，Ｔシャツ状，パーカー状又はジャンパー状であることを特徴とする請求項１ないし７に記載の応援用衣服である。
本発明の第九の構成は，前記応援用衣服の素材が，衣料用繊維，ポリエチレン，ポリ塩化ビニル，紙のいずれか又はこれら複数の組み合わせであることを特徴とする請求項１ないし８に記載の応援用衣服である。
【発明の効果】
【００１５】
本発明により，スポーツ観戦やコンサート鑑賞などの場面においてストレス解消を行なうことが可能であり，応援の意思表示を変化しうる応援用衣服の提供が可能となった。
すなわち，本発明の応援用衣服によれば，破る，剥がす等の行動によりストレス発散が可能であり，また，ストレス発散の行動にともなう絵柄の変化等により応援の意思表示を変化させうることが可能である。
【図面の簡単な説明】
【００１６】
【図１】本発明の実施形態１における応援用衣服の第１層目の構成を示す正面図
【図２】本発明の実施形態１における応援用衣服の第２層目の構成を示す正面図
【図３】本発明の実施形態１における応援用衣服の一方の第２層目の生地を剥がしている状態を示す正面図
【図４】本発明の実施形態１における応援用衣服の一方の第２層目の生地を剥がした状態を示す正面図
【図５】本発明の実施形態１における応援用衣服の他方の第２層目の生地を剥がしている状態を示す正面図
【図６】本発明の実施形態１における応援用衣服の第２層目の生地を剥がした状態を示す正面図
【図７】本発明の実施形態１における応援用衣服の第２層目の他の構成を示す正面図
【図８】本発明の実施形態２における応援用衣服の第１層目の構成を示す正面図
【図９】本発明の実施形態２における応援用衣服の第２層目の構成を示す正面図
【図１０】本発明の実施形態２における応援用衣服の一番目の第２層目の生地を剥がしている状態を示す正面図
【図１１】本発明の実施形態２における応援用衣服の一番目の第２層目の生地を剥がした状態を示す正面図
【図１２】本発明の実施形態２における応援用衣服の二番目の第２層目の生地を剥がしている状態を示す正面図
【図１３】本発明の実施形態２における応援用衣服の二番目の第２層目の生地を剥がした状態を示す正面図
【図１４】本発明の実施形態２における応援用衣服の三番目の第２層目の生地を剥がしている状態を示す正面図
【図１５】本発明の実施形態２における応援用衣服の三番目の第２層目の生地を剥がした状態を示す正面図
【図１６】本発明の実施形態３における応援用衣服の第１層目の構成を示す正面図
【図１７】本発明の実施形態３における応援用衣服の第２層目の構成を示す正面図
【図１８】本発明の実施形態３における応援用衣服の一方の第２層目の生地を剥がしている状態を示す正面図
【図１９】本発明の実施形態３における応援用衣服の一方の第２層目の生地を剥がした状態を示す正面図
【図２０】本発明の実施形態３における応援用衣服の他方の第２層目の生地を剥がしている状態を示す正面図
【図２１】本発明の実施形態３における応援用衣服の他方の第２層目の生地を剥がした状態を示す正面図
【図２２】本発明の実施形態４における応援用衣服の第１層目の構成を示す正面図
【図２３】本発明の実施形態４における応援用衣服の第２層目の構成を示す正面図
【図２４】本発明の実施形態４における応援用衣服の第２層目の生地を剥がしている状態を示す正面図
【図２５】本発明の実施形態４における応援用衣服の第２層目の他の構成を示す正面図
【図２６】本発明の実施形態５における応援用衣服の構成を示す正面図
【図２７】本発明の実施形態６における応援用衣服の構成を示す正面図
【図２８】本発明の実施形態７における応援用衣服の構成を示す正面図
【図２９】本発明の実施形態７における応援用衣服の使用方法を示す正面図
【図３０】本発明の実施形態８における応援用衣服の構成を示す正面図
【図３１】本発明の実施形態９における応援用衣服の構成を示す正面図
【発明を実施するための形態】
【００１７】
以下，好適な実施形態を用いて本発明をさらに具体的に説明する。但し，下記の実施形態は本発明を具現化した例に過ぎず，本発明はこれに限定されるものではない。
【００１８】
［応援用衣服の概要］
本発明の応援用衣服は，ストレス解消のためのストレス解消用細工を必須の構成要素とする。
【００１９】
本発明において，ストレス解消用細工は，衣服の表面に設けられた細工であって，ストレスを解消することが期待される細工として定義される。ストレス解消用細工は，このストレス解消機能を果たし得る限り，特に限定されるものではなく，種々の構成のものを採用することができる。ストレス解消用細工は，１つの応援用衣服において，１つのみ設けてもよいし，複数設けても構わない。
【００２０】
ストレス解消用細工として，典型的には，人が何らかの行動を行うことによりストレスを解消しうる細工が挙げられる。このようなストレス解消用細工として，例えば，引っ張り破ってストレスを解消する破れ目（ミシン目），剥がしてストレスを解消する剥がし目，叩き破ってストレスを解消する破裂袋，裂いてストレスを解消する裂傷物などが挙げられる。破裂袋については，いわゆるプチプチが付いている梱包袋のような素材を，応援用衣服に用いればよい。また，裂傷物については，裂けるチーズのような素材のものを応援用衣服の一部に取り付けるなどすればよい。なお，破れ目や剥がし目については，実施態様において詳述する。
ストレス解消用細工の別の態様として，人が何らの行動をとらない（我慢する，耐える）場合に，この時のストレスを解消しうる細工が挙げられる。このようなストレス解消用細工として，例えば，水を吸収することにより植物の芽が出る植物種などが挙げられる。この植物種により，応援時に雨が降っていても，この雨が種を成長させることから雨を喜んで受ける，もしくは雨を耐える苦痛が緩和されるという効果を有する。加えて，このような植物種は，種の成長のため雨で濡れることが喜びにも変わりうることから，ランニング等の運動を行う際にも用いることができる。
【００２１】
本発明において，衣服の表面ないし前記ストレス解消用細工を用いることによって現れる部位に絵柄を記載することが好ましい。
これにより，ストレス解消行動を行うことにより，形態の変化に伴い絵柄を変化させることが可能となり，応援時の意思表示の変更が可能となるという効果を有する。
【００２２】
本発明においては，衣服の一部ないし全部が複数の層からなっており，その複数の層に合わせてストレス解消用細工が設けられていることが好ましい。
これにより，ストレス解消行動を複数回行なうことが可能となり，応援の楽しみを向上させることができる効果を有する。加えて，ストレス解消行動を行なうたびに，絵柄を変化させて，応援の意思表示を変化させることがより容易となり，応援用衣服を着用する楽しさを向上させる効果を有する
【００２３】
本発明においては，ストレス解消用細工として，引っ張り破ってストレスを解消する破れ目を用いることが好ましい。
これにより，応援用衣服を，線状の破れ目を入れることによって簡単かつ経済的に作ることが可能となるという効果を有する。
【００２４】
本発明においては，ストレス解消用細工として，剥がしてストレスを解消する剥がし目を用いることも好ましい。剥がし目としては，例えば，面ファスナ（いわゆる“マジックテープ（登録商標）”）を用いることができる。
これにより，剥がし目を剥がしたり，剥がした部材を再度貼り付けたりすることで，応援用衣服を再利用することが可能となり，経済性や継続性に優れた応援用衣服を作ることが可能となるという効果を有する。
【００２５】
本発明においては，破れ目ないし剥がし目を用いて，これら破った後もしくは剥がした後の応援用衣服の一部を，応援用タオル，応援用旗，応援用垂れ幕等として用いることが好ましい。
これにより，破った後や剥がした後の衣服の一部の大きさを調整することが可能となるため，応援用旗等として用いる際に，周りに迷惑をかけない程度の大きさのものとすることができ，応援用衣服を着用する際の楽しさや快適さを向上させることができる効果を有する。
【００２６】
本発明において応援用衣服の形状は，特に限定されるものではなく，通常用いられる衣服形状とすればよい。このような形状としては，例えば，Ｔシャツ状，パーカー状，ジャンパー状，ハッピ状，和服状などが挙げられる。
【００２７】
応援用衣服の素材は，特に限定されるものではなく，例えば，衣服に用いられる通常の素材（衣料用繊維）やポリエチレン，ポリ塩化ビニル，紙などを用いることができる。これら複数の組み合わせであってもよい。
【００２８】
また，本発明の応援用衣服は，スポーツ観戦やコンサート等における応援を行うためのものとして用いられるが，本発明のストレス解消の趣旨を損なわない限り，これに限定する必要はない。例えば，植物種のように，雨の日のランニング等におけるストレス解消のための用途としても用いることができる。
【００２９】
［実施形態１］
ここでは，本発明の実施形態１における応援用衣服の構成について，図１，図２を参照しながら説明する。
【００３０】
図１は，本発明の実施形態１における応援用衣服の第１層目の構成を示す正面図，図２は，当該応援用衣服の第２層目の構成を示す正面図である。
【００３１】
図１，図２に示すように，本実施形態の応援用衣服１は，Ｔシャツ状に形成されている。そして，当該応援用衣服１は，ストレス解消のためのストレス解消用細工と，ストレス解消用細工を用いることによって現れる部位に表記された応援の意思表示のための絵柄２ａ，２ｂと，を備えている。
【００３２】
応援用衣服１は，前身頃が２つの層からなっている。図１に示すように，前身頃の第１層目には，応援の意思表示のための絵柄２ａ，２ｂが表記されている。ここで，絵柄２ａは，「ＳＴＲＥＳＳ」の文字と「怒っている顔」の絵とからなっており，絵柄２ｂは，「ＤＯ  ＮＯＴ  ＨＡＶＥ」の文字と「笑顔」の絵とからなっている。そして，図１，図２に示すように，応援用衣服１の前身頃には，絵柄２ａ，２ｂをそれぞれ覆う無地の第２層目の生地３ａ，３ｂが面ファスナ（いわゆる“マジックテープ（登録商標）”）４ａ，４ｂを用いて貼り付けられている。すなわち，本実施形態におけるストレス解消用細工は，剥がしてストレスを解消する剥がし目（面ファスナ４ａ，４ｂ）からなっている。
このように，剥がし目を，面ファスナ４ａ，４ｂを用いて作製することにより，応援用衣服１を再利用することが可能となるので，経済性や継続性に優れた応援用衣服を提供することが可能となる。
【００３３】
次に，本発明の実施形態１における応援用衣服の使用方法について，図３から図６を合わせて参照しながら説明する。
【００３４】
図３は，本発明の実施形態１における応援用衣服の一方の第２層目の生地を剥がしている状態を示す正面図，図４は，当該応援用衣服の一方の第２層目の生地を剥がした状態を示す正面図，図５は，当該応援用衣服の他方の第２層目の生地を剥がしている状態を示す正面図，図６は，当該応援用衣服の他方の第２層目の生地を剥がした状態を示す正面図である。
【００３５】
本実施形態の応援用衣服１は，スポーツ観戦の場面において図２に示す状態で着用される。すなわち，最初，第２層目の生地３ａ，３ｂによって絵柄２ａ，２ｂがそれぞれ覆われた状態となっている。そして，試合が進んで，応援しているチームが負けている場合には，図３に示すように，一方の第２層目の生地３ａを，端っこから引き剥がして剥ぎ取る（図３の矢印Ａ参照）。これにより，ストレス解消行動を行なうことができると共に，図４に示すように，応援用衣服１の前身頃に「ＳＴＲＥＳＳ」の文字と「怒っている顔」の絵とからなる絵柄２ａが現れて，愛情はあるものの，叱咤激励の意味を込めるような，マイナスの感情を伴った応援を行なうことが可能となる。
一方，応援しているチームが勝っている場合には，図５に示すように，他方の第２層目の生地３ｂを，端っこから引き剥がして剥ぎ取る（図５の矢印Ｂ参照）。これにより，ストレスを発散させることができると共に，図６に示すように，応援用衣服１の前身頃に「ＤＯ  ＮＯＴ  ＨＡＶＥ」の文字と「笑顔」の絵とからなる絵柄２ｂが現れて，選手への鼓舞や愛情表現を行なう，プラスの感情を伴った応援を行なうことが可能となる。
また，応援しているチームが途中で逆転した場合には，一旦剥ぎ取った一方の第２層目の生地３ａを，「ＳＴＲＥＳＳ」の文字と「怒っている顔」の絵とからなる絵柄２ａの上に再度貼り付けた後，他方の第２層目の生地３ｂを剥ぎ取ることもできる。
このように，本実施形態の応援用衣服１を用いれば，絵柄を変化させて，応援の意思表示を変化させることができるので，応援用衣服を着用する楽しさを向上させることができる。
【００３６】
なお，本実施形態においては，絵柄２ａ，２ｂをそれぞれ覆う第２層目の生地３ａ，３ｂが面ファスナ４ａ，４ｂを用いて貼り付けられている場合を例に挙げて説明したが，必ずしもこのような構成に限定されるものではない。例えば，図７に示すように，第２層目の生地３ａ，３ｂの周縁部に破れ目５ａ，５ｂを設け，当該第２層目の生地３ａ，３ｂを，端っこから引っ張り破る構成であってもよい。そして，この構成であっても，応援しているチームが負けている場合等にストレス解消行動を行なうことができる。また，面ファスナと破れ目とが混在した構成としてもよい。
【００３７】
本実施形態においては，第２層目の生地３ａ，３ｂが無地である応援用衣服１を例に挙げて説明したが，必ずしもこのような構成に限定されるものではない。例えば，第２層目の生地３ａ，３ｂに，応援するチームの名称等が書き込んであってもよい。
【００３８】
本実施形態においては，前身頃が２つの層からなっている応援用衣服１を例に挙げて説明したが，必ずしもこのような構成に限定されるものではない。前身頃は，例えば，３つ以上の層からなっていてもよい。そして，かかる構成によれば，何度もストレス解消行動を行なうことが可能となり，応援の楽しみを向上させることができる。加えて，ストレス解消行動を行なうたびに，絵柄を変化させて，応援の意思表示を変化させることが可能となるので，応援用衣服を着用する楽しさを向上させることができる。
【００３９】
本実施形態においては，Ｔシャツ状に形成された応援用衣服１を例に挙げて説明したが，必ずしもこのような構成に限定されるものではない。応援用衣服の形状は，例えば，パーカー状，ジャンパー状，ハッピ状，和服状などであってもよい。
【００４０】
本実施形態においては，スポーツ観戦の場面において着用される応援用衣服１を例に挙げて説明したが，本発明の応援用衣服は必ずしもかかる用途に限定されるものではない。絵柄を変更することにより，例えば，コンサート鑑賞の場面において歌手を応援するために用いることもできる。
【００４１】
［実施形態２］
ここでは，本発明の実施形態２における応援用衣服の構成について，図８，図９を参照しながら説明する。
【００４２】
図８は，本発明の実施形態２における応援用衣服の第１層目の構成を示す正面図，図９は，当該応援用衣服の第２層目の構成を示す正面図である。
【００４３】
図８，図９に示すように，本実施形態の応援用衣服６は，Ｔシャツ状に形成されている。そして，当該応援用衣服６は，ストレス解消のためのストレス解消用細工と，ストレス解消用細工を用いることによって現れる部位に表記された応援の意思表示のための絵柄７ａ，７ｂ，７ｃと，を備えている。
【００４４】
応援用衣服６は，前身頃が２つの層からなっている。図８に示すように，前身頃の第１層目には，応援の意思表示のための絵柄７ａ，７ｂ，７ｃが表記されている。ここで，絵柄７ａは，「ＬＩＭＩＴ」の文字と「もやもやした感じの人物」の絵とからなっており，絵柄７ｂは，「ＮＥＲＶＯＵＳ」の文字と「頭を抱えた人物」の絵とからなっており，絵柄７ｃは，「ＨＡＰＰＹ」の文字からなっている。そして，図８，図９に示すように，応援用衣服６の前身頃には，絵柄７ａ，７ｂ，７ｃをそれぞれ覆う無地の第２層目の生地８ａ，８ｂ，８ｃが面ファスナ９ａ，９ｂ，９ｃを用いて貼り付けられている。また，生地８ａ，８ｂ，８ｃは一枚物からなっており，生地８ａ，８ｂ間と生地８ｂ，８ｃ間には，それぞれ，破れ目１０ａ，１０ｂが設けられている。すなわち，本実施形態におけるストレス解消用細工は，剥がしてストレスを解消する剥がし目（面ファスナ９ａ，９ｂ，９ｃ）と，引っ張り破ってストレスを解消する破れ目１０ａ，１０ｂとからなっている。
【００４５】
次に，本発明の実施形態２における応援用衣服の使用方法について，図１０から図１５を合わせて参照しながら説明する。
【００４６】
図１０は，本発明の実施形態２における応援用衣服の一番目の第２層目の生地を剥がしている状態を示す正面図，図１１は，当該応援用衣服の一番目の第２層目の生地を剥がした状態を示す正面図，図１２は，当該応援用衣服の二番目の第２層目の生地を剥がしている状態を示す正面図，図１３は，当該応援用衣服の二番目の第２層目の生地を剥がした状態を示す正面図，図１４は，当該応援用衣服の三番目の第２層目の生地を剥がしている状態を示す正面図，図１５は，当該応援用衣服の三番目の第２層目の生地を剥がした状態を示す正面図である。
【００４７】
本実施形態の応援用衣服６は，スポーツ観戦の場面において図９に示す状態で着用される。すなわち，最初，第２層目の生地８ａ，８ｂ，８ｃによって絵柄７ａ，７ｂ，７ｃがそれぞれ覆われた状態となっている。そして，試合が進んで，応援しているチームと相手チームとが拮抗している場合には，図１０に示すように，一番目の第２層目の生地８ａを，端っこから引き剥がし，かつ，引っ張り破って剥ぎ取る（図１０の矢印Ｃ参照）。これにより，ストレス解消行動を行なうことができると共に，図１１に示すように，応援用衣服６の前身頃に「ＬＩＭＩＴ」の文字と「もやもやした感じの人物」の絵とからな絵柄７ａが現れて，愛情はあるものの，叱咤激励の意味を込めるような，マイナスの感情を伴った応援を行なうことが可能となる。
また，応援しているチームが負けている場合には，図１２に示すように，二番目の第２層目の生地８ｂを，端っこから引き剥がし，かつ，引っ張り破って剥ぎ取る（図１２の矢印Ｄ参照）。これにより，ストレス解消行動を行なうことができると共に，図１３に示すように，応援用衣服６の前身頃に「ＮＥＲＶＯＵＳ」の文字と「頭を抱えた人物」の絵とからなる絵柄７ｂが現れて，上記と同様，愛情はあるものの，叱咤激励の意味を込めるような，マイナスの感情を伴った応援を行なうことが可能となる。
さらに，応援しているチームが勝っている場合には，図１４に示すように，三番目の第２層目の生地８ｃを，端っこから引き剥がし，かつ，引っ張り破って剥ぎ取る（図１４の矢印Ｅ参照）。これにより，ストレスを発散させることができると共に，図１５に示すように，応援用衣服６の前身頃に「ＨＡＰＰＹ」の文字からなる絵柄７ｃが現れて，選手への鼓舞や愛情表現ないし応援者の喜びなど，プラスの感情を伴った応援を行なうことが可能となる。
【００４８】
また，応援しているチームと相手チームとの均衡が破れて，応援しているチームが優位に立った場合には，一旦剥ぎ取った一番目の第２層目の生地８ａを，「ＬＩＭＩＴ」の文字と「もやもやした感じの人物」の絵とからな絵柄７ａの上に再度貼り付けた後，三番目の第２層目の生地８ｃを剥ぎ取る。
このように，本実施形態の応援用衣服６を用いれば，絵柄を変化させて，応援の意思表示を変化させることができるので，応援用衣服を着用する楽しさを向上させることができる。
【００４９】
なお，本実施形態においては，絵柄７ａ，７ｂ，７ｃをそれぞれ覆う第２層目の生地８ａ，８ｂ，８ｃが面ファスナ９ａ，９ｂ，９ｃを用いて貼り付けられており，また，生地８ａ，８ｂ，８ｃが一枚物からなり，生地８ａ，８ｂ間と生地８ｂ，８ｃ間に，それぞれ，破れ目１０ａ，１０ｂが設けられている場合を例に挙げて説明したが，必ずしもこのような構成に限定されるものではない。例えば，第２層目の生地８ａ，８ｂ，８ｃの周縁部に破れ目のみを設け，当該第２層目の生地８ａ，８ｂ，８ｃを，それぞれ，引っ張り破る構成であってもよい。そして，この構成であっても，上記とほぼ同様にして応援用衣服６を使用することができる。また，第２層目の生地８ａ，８ｂ，８ｃを分離した物とし，当該第２層目の生地８ａ，８ｂ，８ｃを，それぞれ，面ファスナのみによって貼り付ける構成としてもよい。
【００５０】
本実施形態においては，第２層目の生地８ａ，８ｂ，８ｃが無地である応援用衣服６を例に挙げて説明したが，必ずしもこのような構成に限定されるものではない。例えば，第２層目の生地８ａ，８ｂ，８ｃに，応援するチームの名称等が書き込んであってもよい。
【００５１】
本実施形態においては，前身頃が２つの層からなっている応援用衣服６を例に挙げて説明したが，必ずしもこのような構成に限定されるものではない。前身頃は，例えば，３つ以上の層からなっていてもよい。そして，かかる構成によれば，何度もストレス解消行動を行なうことが可能となり，応援の楽しみを向上させることができる。加えて，ストレス解消行動を行なうたびに，絵柄を変化させて，応援の意思表示を変化させることが可能となるので，応援用衣服を着用する楽しさを向上させることができる。
【００５２】
本実施形態においては，Ｔシャツ状に形成された応援用衣服６を例に挙げて説明したが，必ずしもこのような構成に限定されるものではない。応援用衣服の形状は，例えば，パーカー状，ジャンパー状，ハッピ状，和服状などであってもよい。
【００５３】
本実施形態においては，スポーツ観戦の場面において着用される応援用衣服６を例に挙げて説明したが，本発明の応援用衣服は必ずしもかかる用途に限定されるものではない。絵柄を変更することにより，例えば，コンサート鑑賞の場面において歌手を応援するために用いることもできる。
【００５４】
［実施形態３］
ここでは，本発明の実施形態３における応援用衣服の構成について，図１６，図１７を参照しながら説明する。
【００５５】
図１６は，本発明の実施形態３における応援用衣服の第１層目の構成を示す正面図，図１７は，当該応援用衣服の第２層目の構成を示す正面図である。
【００５６】
図１６，図１７に示すように，本実施形態の応援用衣服１１は，Ｔシャツ状に形成されている。そして，当該応援用衣服１１は，ストレス解消のためのストレス解消用細工と，ストレス解消用細工を用いることによって現れる部位に表記された応援の意思表示のための絵柄１２ａ，１２ｂと，を備えている。
【００５７】
応援用衣服１１は，前身頃が２つの層からなっている。図１６に示すように，前身頃の第１層目には，応援の意思表示のための絵柄１２ａ，１２ｂが表記されている。ここで，絵柄１２ａは，「ＳＴＲＥＳＳ  ＪＵＭＰＥＲ」の文字と「怒っている姿の人物」の絵とからなっており，絵柄１２ｂは，「座って落ち着いている人物」の絵からなっている。そして，図１６，図１７に示すように，応援用衣服１１の前身頃には，絵柄１２ａ，１２ｂをそれぞれ覆う無地の第２層目の生地１３ａ，１３ｂが面ファスナ１４ａ，１４ｂを用いて貼り付けられている。また，生地１３ａ，１３ｂは一枚物からなっており，生地１３ａ，１３ｂ間には，破れ目１５が設けられている。すなわち，本実施形態におけるストレス解消用細工は，剥がしてストレスを解消する剥がし目（面ファスナ１４ａ，１４ｂ）と，引っ張り破ってストレスを解消する破れ目１５とからなっている。
【００５８】
次に，本発明の実施形態３における応援用衣服の使用方法について，図１８から図２１をも参照しながら説明する。
【００５９】
図１８は，本発明の実施形態３における応援用衣服の一方の第２層目の生地を剥がしている状態を示す正面図，図１９は，当該応援用衣服の一方の第２層目の生地を剥がした状態を示す正面図，図２０は，当該応援用衣服の他方の第２層目の生地を剥がしている状態を示す正面図，図２１は，当該応援用衣服の他方の第２層目の生地を剥がした状態を示す正面図である。
【００６０】
本実施形態の応援用衣服１１は，スポーツ観戦の場面において図１７に示す状態で着用される。すなわち，最初，第２層目の生地１３ａ，１３ｂによって絵柄１２ａ，１２ｂがそれぞれ覆われた状態となっている。そして，試合が進んで，応援しているチームが負けている場合には，図１８に示すように，一方の第２層目の生地１３ａを，端っこから引き剥がし，かつ，引っ張り破って剥ぎ取る（図１８の矢印Ｆ参照）。これにより，ストレス解消行動を行なうことができると共に，図１９に示すように，応援用衣服１１の前身頃に「ＳＴＲＥＳＳ  ＪＵＭＰＥＲ」の文字と「怒っている姿の人物」の絵とからなる絵柄１２ａが現れて，愛情はあるものの，叱咤激励の意味を込めるような，マイナスの感情を伴った応援を行なうことが可能となる。
一方，応援しているチームが勝っている場合には，図２０に示すように，他方の第２層目の生地１３ｂを，端っこから引き剥がし，かつ，引っ張り破って剥ぎ取る（図２０の矢印Ｇ参照）。これにより，ストレスを発散させることができると共に，図２１に示すように，応援用衣服１１の前身頃に「座って落ち着いている人物」の絵からなる絵柄１２ｂが現れて，選手への鼓舞や愛情表現を行なう，プラスの感情を伴った応援を行なうことが可能となる。
【００６１】
また，応援しているチームが途中で逆転した場合には，一旦剥ぎ取った一方の第２層目の生地１３ａを，「ＳＴＲＥＳＳ  ＪＵＭＰＥＲ」の文字と「怒っている姿の人物」の絵とからなる絵柄１２ａの上に再度貼り付けた後，他方の第２層目の生地１３ｂを剥ぎ取る。
このように，本実施形態の応援用衣服１１を用いれば，絵柄を変化させて，応援の意思表示を変化させることができるので，応援用衣服を着用する楽しさを向上させることができる。
【００６２】
なお，本実施形態においては，絵柄１２ａ，１２ｂをそれぞれ覆う第２層目の生地１３ａ，１３ｂが面ファスナ１４ａ，１４ｂを用いて貼り付けられており，また，生地１３ａ，１３ｂが一枚物からなり，生地１３ａ，１３ｂ間に破れ目１５が設けられている場合を例に挙げて説明したが，必ずしもこのような構成に限定されるものではない。例えば，第２層目の生地１３ａ，１３ｂの周縁部に破れ目のみを設け，当該第２層目の生地１３ａ，１３ｂを，それぞれ，引っ張り破る構成であってもよい。そして，この構成であっても，上記とほぼ同様にして応援用衣服１１を使用することができる。また，第２層目の生地１３ａ，１３ｂを分離した物とし，当該第２層目の生地１３ａ，１３ｂを，それぞれ，面ファスナのみによって貼り付ける構成としてもよい。
【００６３】
本実施形態においては，第２層目の生地１３ａ，１３ｂが無地である応援用衣服１１を例に挙げて説明したが，必ずしもこのような構成に限定されるものではない。例えば，第２層目の生地１３ａ，１３ｂに，応援するチームの名称等が書き込んであってもよい。
【００６４】
本実施形態においては，前身頃が２つの層からなっている応援用衣服１１を例に挙げて説明したが，必ずしもこのような構成に限定されるものではない。前身頃は，例えば，３つ以上の層からなっていてもよい。そして，かかる構成によれば，何度もストレス解消行動を行なうことが可能となり，応援の楽しみを向上させることができる。加えて，ストレス解消行動を行なうたびに，絵柄を変化させて，応援の意思表示を変化させることができるので，応援用衣服を着用する楽しさを向上させることができる。
【００６５】
本実施形態においては，Ｔシャツ状に形成された応援用衣服１１を例に挙げて説明したが，必ずしもこのような構成に限定されるものではない。応援用衣服の形状は，例えば，パーカー状，ジャンパー状，ハッピ状，和服状などであってもよい。
【００６６】
本実施形態においては，スポーツ観戦の場面において着用される応援用衣服１１を例に挙げて説明したが，本発明の応援用衣服は必ずしもかかる用途に限定されるものではない。絵柄を変更することにより，例えば，コンサート鑑賞の場面において歌手を応援するために用いることもできる。
【００６７】
［実施形態４］
ここでは，本発明の実施形態４における応援用衣服の構成について，図２２から図２４を参照しながら説明する。
【００６８】
図２２は，本発明の実施形態４における応援用衣服の第１層目の構成を示す正面図，図２３は，当該応援用衣服の第２層目の構成を示す正面図，図２４は，当該応援用衣服の第２層目の生地を剥がしている状態を示す正面図である。
【００６９】
図２２から図２４に示すように，本実施形態の応援用衣服１６は，Ｔシャツ状に形成されている。そして，当該応援用衣服１６は，ストレス解消のためのストレス解消用細工と，衣服の表面ないしストレス解消用細工を用いることによって現れる部位に表記された応援の意思表示のための絵柄１７ａ，１７ｂと，を備えている。ここで，絵柄１７ａ，１７ｂは，「ＳＴＲＥＳＳ  ＪＵＭＰＥＲ」の文字と「怒っている姿の人物」の絵と「座って落ち着いている人物」の絵とからなっている。
【００７０】
応援用衣服１６は，前身頃が２つの層からなっている。図２２に示すように，前身頃の第１層目には，応援の意思表示のための絵柄１７ｂが表記されている。絵柄１７ｂにおいて，「怒っている姿の人物」の絵の背景は明るく，「座って落ち着いている人物」の絵の背景は暗くなっている。すなわち，「怒っている姿の人物」が明るく強調されていることにより，マイナスの感情を示す応援表示である。
そして，図２２から図２４に示すように，応援用衣服１６の前身頃には，絵柄１７ｂを覆う第２層目の生地１８が面ファスナ１９を用いて貼り付けられている。すなわち，本実施形態におけるストレス解消用細工は，剥がしてストレスを解消する剥がし目（面ファスナ１９）からなっている。第２層目の生地１８には，絵柄１７ａが表記されている。絵柄１７ａにおいて，「怒っている姿の人物」の絵の背景は暗く，「座って落ち着いている人物」の絵の背景は明るくなっている。すなわち，「座って落ち着いている人物」が明るく強調されていることにより，プラスの感情を示す応援表示である。
【００７１】
次に，本発明の実施形態４における応援用衣服の使用方法について説明する。
【００７２】
本実施形態の応援用衣服１６は，スポーツ観戦の場面において図２３に示す状態で着用される。すなわち，最初，第２層目の生地１８によって絵柄１７ｂが覆われた状態となっている。そして，試合が進んで，応援しているチームが負けている場合には，図２４に示すように，第２層目の生地１８を，端っこから引き剥がして剥ぎ取る（図２４の矢印Ｈ参照）。これにより，ストレス解消行動を行なうことができると共に，図２２に示すように，応援用衣服１６の前身頃に「怒っている姿の人物」の絵の背景は明るく，「座って落ち着いている人物」の絵の背景は暗くなっている絵柄１７ｂが現れて，愛情はあるものの，叱咤激励の意味を込めるような，マイナスの感情を伴った応援を行なうことが可能となる。
一方，応援しているチームが勝っている場合には，第２層目の生地１８が貼り付けられたままである。すなわち，図２３に示すように，応援用衣服１６の前身頃には，「怒っている姿の人物」の絵の背景は暗く，「座って落ち着いている人物」の絵の背景は明るくなっている絵柄１７ａが現れており，これにより，選手への鼓舞や愛情表現を行なう，プラスの感情を伴った応援を行なうことが可能となる。
【００７３】
また，応援しているチームが途中で逆転した場合には，一旦剥ぎ取った第２層目の生地１８を，絵柄１７ｂの上に再度貼り付ける。
このように，本実施形態の応援用衣服１６を用いれば，絵柄を変化させて，応援の意思表示を変化させることができるので，応援用衣服を着用する楽しさを向上させることができる。
【００７４】
なお，本実施形態においては，第２層目の生地１８が面ファスナ１９を用いて貼り付けられている場合を例に挙げて説明したが，必ずしもこのような構成に限定されるものではない。例えば，図２５に示すように，第２層目の生地１８の周縁部に破れ目２０を設け，当該第２層目の生地１８を，端っこから引っ張り破る構成であってもよい。そして，この構成であっても，上記とほぼ同様にして応援用衣服１６を使用することができる。また，面ファスナと破れ目とが混在した構成としてもよい。
【００７５】
本実施形態においては，前身頃が２つの層からなっている応援用衣服１６を例に挙げて説明したが，必ずしもこのような構成に限定されるものではない。前身頃は，例えば，３つ以上の層からなっていてもよい。この場合，絵柄１７ａと絵柄１７ｂを交互に配置することにより，上記のように一旦剥ぎ取った第２層目の生地１８を，絵柄１７ｂの上から再度貼り付ける等の面倒な動作が不要となる。また，かかる構成によれば，何度もストレス解消行動を行なうことが可能となり，応援の楽しみを向上させることができる。加えて，ストレス解消行動を行なうたびに，絵柄を変化させて，応援の意思表示を変化させることができるので，応援用衣服を着用する楽しさを向上させることができる。
【００７６】
本実施形態においては，Ｔシャツ状に形成された応援用衣服１６を例に挙げて説明したが，必ずしもこのような構成に限定されるものではない。応援用衣服の形状は，例えば，パーカー状，ジャンパー状，ハッピ状，和服状などであってもよい。
【００７７】
本実施形態においては，スポーツ観戦の場面において着用される応援用衣服１６を例に挙げて説明したが，本発明の応援用衣服は必ずしもかかる用途に限定されるものではない。絵柄を変更することにより，例えば，コンサート鑑賞の場面において歌手を応援するために用いることもできる。
【００７８】
［実施形態５］
ここでは，本発明の実施形態５における応援用衣服の構成について，図２６を参照しながら説明する。
【００７９】
図２６は，本発明の実施形態５における応援用衣服の構成を示す正面図である。
【００８０】
図２６に示すように，本実施形態の応援用衣服２１は，Ｔシャツ状に形成されている。そして，当該応援用衣服２１は，ストレス解消のためのストレス解消用細工と，ストレス解消用細工を用いることによって現れる部位に表記された応援の意思表示のための絵柄２２と，を備えている。
応援用衣服２１は，衣服の全部が２つの層からなっている。図２６（ｂ）に示すように，応援用衣服２１の第１層目の前身頃には，応援の意思表示のための絵柄２２が表記されている。ここで，絵柄２２は，大きい星のマーク（★）の絵からなっている。また，図２６（ａ），（ｂ）に示すように，応援用衣服２１第２層目の前身頃には，縦長のスリット２３が形成されている。応援用衣服２１の第２層目の少なくとも前身頃の生地は，伸縮性のある素材からなることが好ましい。すなわち，本実施形態におけるストレス解消用細工は，両手で左右に拡げてストレスを解消するスリット２３からなっている。
【００８１】
次に，本発明の実施形態５における応援用衣服の使用方法について説明する。
【００８２】
本実施形態の応援用衣服２１は，コンサート鑑賞の場面において図２６（ａ）に示す状態で着用される。そして，コンサートが進んで，ボルテージが最高に達した瞬間に，スリット２３を両手で左右に拡げる（図２６（ｂ）の矢印Ｉ，Ｊ参照）。これにより，ストレスを発散することができると共に，図２６（ｂ）に示すように，応援用衣服２１の前身頃に大きい星のマーク（★）の絵からなる絵柄２２が現れて，歌手への愛情表現を行なう，プラスの感情を伴った応援を行なうことが可能となる。また，大相撲などで平幕が横綱を破った場合，喜びや驚きの感情表現として座布団を投げることが行われるが，これの代わりに，星のマーク（★）を表示させることにより，金星としての喜びや驚きの感情表現を行うことができる。
【００８３】
なお，本実施形態においては，衣服の全部が２つの層からなっている応援用衣服２１を例に挙げて説明したが，必ずしもこのような構成に限定されるものではない。応援用衣服２１は，例えば，３つ以上の層からなっていてもよい。この場合，各層に異なる絵柄を表記し，最下層以外の層に縦長のスリットを設けることにより，何度もストレス発散行動を行なうことが可能となり，応援の楽しみを向上させることができる。加えて，ストレス発散行動を行なうたびに，絵柄を変化させて，応援の意思表示を変化させることができるので，応援用衣服を着用する楽しさを向上させることができる。また，衣服の一部である前身頃のみが複数の層からなっていてもよい。
【００８４】
本実施形態においては，Ｔシャツ状に形成された応援用衣服２１を例に挙げて説明したが，必ずしもこのような構成に限定されるものではない。応援用衣服の形状は，例えば，パーカー状，ジャンパー状，ハッピ状，和服状などであってもよい。
【００８５】
本実施形態においては，コンサート鑑賞の場面において着用される応援用衣服２１を例に挙げて説明したが，本発明の応援用衣服は必ずしもかかる用途に限定されるものではない。絵柄を変更することにより，例えば，スポーツ観戦の場面において選手を応援するために用いることもできる。
【００８６】
［実施形態６］
ここでは，本発明の実施形態６における応援用衣服の構成について，図２７を参照しながら説明する。
【００８７】
図２７は，本発明の実施形態６における応援用衣服の構成を示す正面図である。
【００８８】
図２７に示すように，本実施形態の応援用衣服２４は，Ｔシャツ状に形成されている。そして，当該応援用衣服２４は，ストレス解消のためのストレス解消用細工と，ストレス解消用細工を用いることによって現れる部位に表記された応援の意思表示のための絵柄２５と，を備えている。
応援用衣服２４は，前身頃が２つの層からなっている。図２７（ｂ）に示すように，前身頃の第１層目は，袖部と同じ赤一色からなる応援の意思表示のための絵柄２５が表記されている。また，図２７（ａ）に示すように，応援用衣服２４の前身頃には，第１層目の赤色を覆う第２層目の白色の生地２６が面ファスナ２７を用いて貼り付けられている。すなわち，本実施形態におけるストレス解消用細工は，剥がしてストレスを解消する剥がし目（面ファスナ２７）からなっている。
【００８９】
次に，本発明の実施形態６における応援用衣服の使用方法について説明する。
【００９０】
本実施形態の応援用衣服２４は，コンサート鑑賞の場面において図２７（ａ）に示す状態で着用される。すなわち，最初，第２層目の白色の生地２６によって第１層目の赤色が覆われた状態となっている。そして，コンサートが進んで，ボルテージが最高に達した瞬間に，図２７（ａ）に示すように，第２層目の白色の生地２６を，端っこから引き剥がして剥ぎ取る（図２７（ａ）の矢印Ｋ参照）。これにより，ストレスを発散することができると共に，図２７（ｂ）に示すように，応援用衣服２４の正面全体が赤一色となって，歌手への愛情表現を行なう，プラスの感情を伴った応援を行なうことが可能となる。
【００９１】
なお，本実施形態においては，第２層目の生地２６が面ファスナ２７を用いて貼り付けられている場合を例に挙げて説明したが，必ずしもこのような構成に限定されるものではない。例えば，第２層目の生地２６の周縁部に破れ目を設け，当該第２層目の生地２６を，端っこから引っ張り破る構成であってもよい。そして，この構成であっても，上記とほぼ同様にして応援用衣服２４を使用することができる。また，面ファスナと破れ目とが混在した構成としてもよい。
【００９２】
本実施形態においては，前身頃が２つの層からなっている応援用衣服２４を例に挙げて説明したが，必ずしもこのような構成に限定されるものではない。前身頃は，例えば，３つ以上の層からなっていてもよい。この構成によれば，何度もストレス発散行動を行なうことが可能となり，応援の楽しみを向上させることができる。そして，この場合，層ごとに色を異ならせることにより，応援用衣服２４の色を変化させて，応援の意思表示を変化させることができるので，応援用衣服を着用する楽しさを向上させることができる。
【００９３】
本実施形態においては，Ｔシャツ状に形成された応援用衣服２４を例に挙げて説明したが，必ずしもこのような構成に限定されるものではない。応援用衣服の形状は，例えば，パーカー状，ジャンパー状，ハッピ状，和服状などであってもよい。
【００９４】
本実施形態においては，コンサート鑑賞の場面において着用される応援用衣服２４を例に挙げて説明したが，本発明の応援用衣服は必ずしもかかる用途に限定されるものではない。例えば，スポーツ観戦の場面において選手を応援するために用いることもできる。
【００９５】
［実施形態７］
ここでは，本発明の実施形態７における応援用衣服の構成について，図２８を参照しながら説明する。
【００９６】
図２８は，本発明の実施形態７における応援用衣服の構成を示す正面図である。
【００９７】
図２８に示すように，本実施形態の応援用衣服２８は，Ｔシャツ状に形成されている。そして，当該応援用衣服２８は，ストレス解消のためのストレス解消用細工と，ストレス解消用細工を用いることによって得られる応援の意思表示のための応援用旗２９となる部位３０と，を備えている。
応援用衣服２８は，応援用旗２９となる部位３０が赤色になっており，それ以外の部分が白色になっている。応援用旗２９となる部位３０の境界線上には，破れ目３１が設けられている。すなわち，本実施形態におけるストレス解消用細工は，引っ張り破ってストレスを解消する破れ目３１からなっている。また，応援用衣服２８の裾には，筒状部３２が形成されている。
【００９８】
次に，本発明の実施形態７における応援用衣服の使用方法について，図２９を合わせて参照しながら説明する。
【００９９】
図２９は，本発明の実施形態７における応援用衣服の使用方法を示す正面図である。
【０１００】
本実施形態の応援用衣服２８は，スポーツ観戦の場面において図２８（ａ）に示す状態で着用される。すなわち，最初，応援用旗２９となる部位３０が応援用衣服２８に破れ目３１を介して接続された状態となっている。そして，試合がクライマックスに達した時点で，応援用旗２９となる部位３０を，端っこから引っ張り破る。これにより，ストレスを発散することができる。また，図２８（ｂ），図２９に示すように，引っ張り破って得られた応援用旗２９の筒状部３２に，プラスチック製の棒３３を挿入し，応援用旗２９を振りながら選手を応援することが可能となる。この場合，応援用旗２９となる部位３０の大きさを調整することにより，応援用旗２９として用いる際に，周りに迷惑をかけない程度の大きさのものとすることができ，応援用衣服を着用する際の楽しさや利便性を向上させることができる。
【０１０１】
なお，本実施形態においては，応援用旗２９となる部位３０の境界線上に破れ目３１が設けられている場合を例に挙げて説明したが，必ずしもこのような構成に限定されるものではない。例えば，応援用旗となる部位は，応援用衣服の前身頃に面ファスナを用いて貼り付けられていてもよい。そして，この構成であっても，上記とほぼ同様にして応援用衣服２８を使用することができる。また，面ファスナと破れ目とが混在した構成としてもよい。
【０１０２】
本実施形態においては，Ｔシャツ状に形成された応援用衣服２８を例に挙げて説明したが，必ずしもこのような構成に限定されるものではない。応援用衣服の形状は，例えば，パーカー状，ジャンパー状，ハッピ状，和服状などであってもよい。
【０１０３】
本実施形態においては，スポーツ観戦の場面において着用される応援用衣服２８を例に挙げて説明したが，本発明の応援用衣服は必ずしもかかる用途に限定されるものではない。応援用旗となる部位に歌手の名前や似顔絵を表記することにより，例えば，コンサート鑑賞の場面において歌手を応援するために用いることもできる。
【０１０４】
［実施形態８］
次に，本発明の実施形態８における応援用衣服の構成について，図３０を参照しながら説明する。
【０１０５】
図３０は，本発明の実施形態８における応援用衣服の構成を示す正面図である。
【０１０６】
図３０に示すように，本実施形態の応援用衣服３４は，Ｔシャツ状に形成されている。そして，当該応援用衣服３４は，ストレス解消のためのストレス解消用細工と，ストレス解消用細工を用いることによって得られる応援の意思表示のための応援用垂れ幕３５ａ，３５ｂとなる部位３６ａ，３６ｂと，を備えている。ここで，応援用垂れ幕３５ａ，３５ｂとなる部位３６ａ，３６ｂには，応援するチームの名称や応援メッセージなどが表記されている（不図示）。
【０１０７】
応援用垂れ幕３５ａ，３５ｂとなる部位３６ａ，３６ｂは，応援用衣服３４の身頃の中央部及び下部に隣接して形成されている。そして，応援用垂れ幕３５ａ，３５ｂとなる部位３６ａ，３６ｂの上縁には，それぞれ破れ目３７ａ，３７ｂが設けられている。また，応援用垂れ幕３５ａ，３５ｂとなる部位３６ａ，３６ｂの，前身頃の側縁には，それぞれ破れ目３８ａ，３８ｂが設けられており，これにより，応援用垂れ幕３５ａ，３５ｂとなる部位３６ａ，３６ｂを帯状に広げることができるようにされている。すなわち，本実施形態におけるストレス解消用細工は，引っ張り破ってストレスを解消する破れ目３７ａ，３７ｂ，３８ａ，３８ｂからなっている。
【０１０８】
次に，本発明の実施形態８における応援用衣服の使用方法について説明する。
【０１０９】
本実施形態の応援用衣服３４は，スポーツ観戦の場面において図３０（ａ）に示す状態で着用される。すなわち，最初，応援用垂れ幕３５ａ，３５ｂとなる部位３６ａ，３６ｂが応援用衣服３４に破れ目３７ａ，３７ｂ，３８ａ，３８ｂを介して接続された状態となっている。そして，試合がクライマックスに達した時点で，応援用垂れ幕３５ａ，３５ｂとなる部位３６ａ，３６ｂを引っ張り破る。これにより，ストレスを発散することができる。また，図３０（ｂ）に示すように，引っ張り破って得られた応援用垂れ幕３５ａ，３５ｂを両手で拡げて選手を応援することが可能となる。
【０１１０】
なお，本実施形態においては，応援用垂れ幕３５ａ，３５ｂとなる部位３６ａ，３６ｂの上縁に，それぞれ破れ目３７ａ，３７ｂが設けられ，応援用垂れ幕３５ａ，３５ｂとなる部位３６ａ，３６ｂの，前身頃の側縁に，それぞれ破れ目３８ａ，３８ｂが設けられている場合を例に挙げて説明したが，必ずしもこのような構成に限定されるものではない。例えば，応援用垂れ幕となる部位は，応援用衣服の身頃に面ファスナを用いて貼り付けられていてもよい。そして，この構成であっても，上記とほぼ同様にして応援用衣服３４を使用することができる。また，面ファスナと破れ目とが混在した構成としてもよい。
【０１１１】
本実施形態においては，応援用垂れ幕となる部位を２つ有する応援用衣服３４を例に挙げて説明したが，必ずしもこのような構成に限定されるものではない。応援用垂れ幕となる部位は，１つであっても３つ以上であってもよい。
【０１１２】
本実施形態においては，Ｔシャツ状に形成された応援用衣服３４を例に挙げて説明したが，必ずしもこのような構成に限定されるものではない。応援用衣服の形状は，例えば，パーカー状，ジャンパー状，ハッピ状，和服状などであってもよい。
【０１１３】
［実施形態９］
ここでは，本発明の実施形態９における応援用衣服の構成について，図３１を参照しながら説明する。
【０１１４】
図３１は，本発明の実施形態９における応援用衣服の構成を示す正面図である。
【０１１５】
図３１に示すように，本実施形態の応援用衣服３９は，Ｔシャツ状に形成されている。そして，当該応援用衣服３９は，ストレス解消のためのストレス解消用細工と，ストレス解消用細工を用いることによって得られる応援の意思表示のための応援用垂れ幕４０となる部位４１と，を備えている。ここで，応援用垂れ幕４０となる部位４１は，応援用衣服３９の身頃からなっており，当該応援用垂れ幕４０となる部位４１には，応援するチームの名称や応援メッセージなどが表記されている（不図示）。
【０１１６】
図３１（ａ）に示すように，応援用衣服３９の後身頃には，中心線上に破れ目４２が設けられており，応援用衣服３９の身頃の左右肩部には，それぞれ破れ目４３ａ，４３ｂが設けられている。そして，これにより，応援用垂れ幕４０となる部位４１を帯状に広げることができるようにされている。また，応援用衣服３９の身頃と左右袖部４４ａ，４４ｂとの境界線上には，それぞれ破れ目４５ａ，４５ｂが設けられている。そして，これにより，応援用垂れ幕４０となる部位４１を応援用垂れ幕４０として使用するときは，左右袖部４４ａ，４４ｂを取り外すことができるようにされている。また，左右袖部４４ａ，４４ｂの先端には，正面側に位置して，それぞれ筒状部４６ａ，４６ｂが形成されている。
【０１１７】
次に，本発明の実施形態９における応援用衣服の使用方法について説明する。
【０１１８】
本実施形態の応援用衣服３９は，スポーツ観戦の場面において図３１（ａ）に示す状態で着用される。すなわち，最初，応援用衣服３９の身頃は，破れ目４２，４３ａ，４３ｂを介して接合され，左右袖部４４ａ，４４ｂは，破れ目４５ａ，４５ｂを介して身頃に接続された状態となっている。そして，試合がクライマックスに達した時点で，左右袖部４４ａ，４４ｂを引っ張り破る。また，応援用衣服３９の後身頃の中心線上に設けられた破れ目４２を上端から応援仲間に破ってもらう（図３１（ｂ）の矢印Ｌ，Ｍ参照）。このとき，左右肩部の破れ目４３ａ，４３ｂも一緒に破れる。これにより，本人，応援仲間共にストレスを発散することができる。そして，引っ張り破って得られた応援用垂れ幕４０を両手で拡げて選手を応援することが可能となる。また，左右袖部４４ａ，４４ｂの筒状部４６ａ，４６ｂに，プラスチック製の棒を挿入し，それを振りながら選手を応援することも可能となる。
【０１１９】
なお，本実施形態においては，破れ目４２等を用いて各部位が接続された応援用衣服３９を例に挙げて説明したが，必ずしもこのような構成に限定されるものではない。例えば，面ファスナを用いて各部位を接続するようにしてもよい。そして，この構成であっても，上記とほぼ同様にして応援用衣服３９を使用することができる。また，面ファスナと破れ目とが混在した構成としてもよい。
【０１２０】
本実施形態においては，Ｔシャツ状に形成された応援用衣服３９を例に挙げて説明したが，必ずしもこのような構成に限定されるものではない。応援用衣服の形状は，例えば，パーカー状，ジャンパー状，ハッピ状，和服状などであってもよい。
【０１２１】
本実施形態においては，スポーツ観戦の場面において着用される応援用衣服３９を例に挙げて説明したが，本発明の応援用衣服は必ずしもかかる用途に限定されるものではない。応援用垂れ幕４０となる部位４１に，応援する歌手の名前や似顔絵を表記することにより，例えば，コンサート鑑賞の場面において歌手を応援するために用いることもできる。
【符号の説明】
【０１２２】
１，６，１１，１６，２１，２４，２８，３４，３９  応援用衣服
２ａ，２ｂ，７ａ，７ｂ，７ｃ，１２ａ，１２ｂ，１７ａ，１７ｂ，２２，２５  絵柄
３ａ，３ｂ，８ａ，８ｂ，８ｃ，１３ａ，１３ｂ，１８，２６  第２層目の生地
４ａ，４ｂ，９ａ，９ｂ，９ｃ，１３ａ，１３ｂ，１９，２７  面ファスナ
１０ａ，１０ｂ，２０，３１，３７ａ，３７ｂ，３８ａ，３８ｂ，４２，４３ａ，４３ｂ，４５ａ，４５ｂ  破れ目
２３  スリット
２９  応援用旗
３０  応援用旗となる部位
３２  筒状部
３５ａ，３５ｂ，４０  応援用垂れ幕
３６ａ，３６ｂ，４１  応援用垂れ幕となる部位
４４ａ，４４ｂ  袖部
【図１】
2016011465.tif 000003
【図２】
2016011465.tif 000004
【図３】
2016011465.tif 000005
【図４】
2016011465.tif 000006
【図５】
2016011465.tif 000007
【図６】
2016011465.tif 000008
【図７】
2016011465.tif 000009
【図８】
2016011465.tif 000010
【図９】
2016011465.tif 000011
【図１０】
2016011465.tif 000012
【図１１】
2016011465.tif 000013
【図１２】
2016011465.tif 000014
【図１３】
2016011465.tif 000015
【図１４】
2016011465.tif 000016
【図１５】
2016011465.tif 000017
【図１６】
2016011465.tif 000018
【図１７】
2016011465.tif 000019
【図１８】
2016011465.tif 000020
【図１９】
2016011465.tif 000021
【図２０】
2016011465.tif 000022
【図２１】
2016011465.tif 000023
【図２２】
2016011465.tif 000024
【図２３】
2016011465.tif 000025
【図２４】
2016011465.tif 000026
【図２５】
2016011465.tif 000027
【図２６】
2016011465.tif 000028
【図２７】
2016011465.tif 000029
【図２８】
2016011465.tif 000030
【図２９】
2016011465.tif 000031
【図３０】
2016011465.tif 000032
【図３１】
2016011465.tif 000033